(57)【要約】【課題】蓋の取り替えやケースの幅寸法の変更を容易かつ安価に行うことのできる商品陳列ケースを提供すること。【解決手段】商品陳列ケースを、一対の側壁と該側壁間に収容物を出し入れするための開口部とを有する本体と、前記開口部を開閉する蓋と、該蓋を前記側壁のそれぞれに回動可能に支持する支持手段とから構成し、さらに前記蓋は、前記開口部を覆う中央部分と、該中央部分の両側で前記側壁をそれぞれ覆う一対の側部分とから構成して、前記一対の側部分と前記中央部分とが着脱可能となるよう結合した。【選択図】  図２
0003130938.tif 000002
【実用新案登録請求の範囲】
【請求項１】
一対の側壁と該側壁間に収容物を出し入れするための開口部とを有する本体と、前記開口部を開閉する蓋と、該蓋を前記側壁のそれぞれ対して相対運動可能に支持する支持手段とを含む商品陳列ケースであって、
前記蓋は、前記開口部を覆う中央部分と、該中央部分の両側で前記側壁をそれぞれ覆う一対の側部分とを有し、該一対の側部分と前記中央部分とが着脱可能に結合されている、商品陳列ケース。
【請求項２】
前記側部分は、前記中央部分の側縁に隣接する縁部が円弧状に膨らんだ曲線形状を有し、
前記中央部分は、平板を前記縁部の曲線形状に沿うように撓ませて前記側部分に結合されている、請求項１に記載の商品陳列ケース。
【請求項３】
前記支持手段は、
前記側壁のそれぞれに設けられた２つのスロットと、
前記側部分に設けられた２つの貫通孔と、
それぞれが前記スロットの一方および前記貫通孔の一方並びに前記スロットの他方および前記貫通孔の他方に挿通され、かつ前記スロット内で前記側壁に関して摺動する一対の係合ピンとを有する、請求項１に記載の商品陳列ケース。
【請求項４】
前記支持手段は、
前記側壁のそれぞれに設けられた２つのスロットと、
前記側部分のそれぞれに２つずつ設けられた４つの貫通孔と、
それぞれが前記スロットの一方および前記貫通孔の一方並びに前記スロットの他方および前記貫通孔の他方に挿通され、かつ前記スロット内で前記側壁に関して摺動する二対の係合ピンとを有する、請求項１に記載の商品陳列ケース。
【請求項５】
前記支持手段は、
前記側壁のそれぞれに設けられた２つの第１の貫通孔と、
該貫通孔に対応して前記側部分にそれぞれ設けられた２つの第２の貫通孔と、  それぞれが前記第１の貫通孔の一方およびこれに対応する前記第２の貫通孔並びに前記第１の貫通孔の他方およびこれに対応する前記第２の貫通孔に挿通された一対の固定ピンとを有する、請求項１に記載の商品陳列ケース。
【考案の詳細な説明】
【技術分野】
【０００１】
本考案は、スーパーマーケットや百貨店等で食品の陳列に使用される商品陳列ケースに関する。
【背景技術】
【０００２】
従来、スーパーマーケットや百貨店等では、商品や試食用の食品を陳列するための商品陳列ケースとして、蓋付きのものが汎用されている。かかる商品陳列ケースの蓋は、ケース開口部を覆い、枢動して該開口部を開閉するフードのような形状を有し（例えば特許文献１を参照。）、一般に金型を用いて射出成形により一体的に形成される。
【特許文献１】特開平８−１４０８１０号公報
【０００３】
ところで、この蓋は、使用しつづけると傷や汚れが目立ち、見栄えが損なわれるため、新しいものと取り替える必要が生じる。この場合、上述のように蓋全体が一体的に形成されているため、蓋を丸ごと取り替えざるを得ず、取り替えのコストが高くつくという問題がある。また、陳列商品の変更や商品ケースの設置場所の変更などにより、ケースの幅寸法を変える必要が生じた場合には、新たな寸法に対応した金型を射出成型用に起こさなくてはならず手間がかかるという問題もある。
【考案の開示】
【考案が解決しようとする課題】
【０００４】
本考案の目的は、上記の問題に鑑み、蓋の取り替えやケースの幅寸法の変更を容易かつ安価に行うことのできる商品陳列ケースを提供することにある。
【課題を解決するための手段】
【０００５】
本考案に係る商品陳列ケースは、一対の側壁と該側壁間に収容物を出し入れするための開口部とを有する本体と、前記開口部を開閉する蓋と、該蓋を前記側壁のそれぞれに回動可能に支持する支持手段とを含み、前記蓋は、前記開口部を覆う中央部分と、該中央部分の両側で前記側壁をそれぞれ覆う一対の側部分とを有し、該一対の側部分と前記中央部分とが着脱可能に結合されていることを特徴とする。
【０００６】
前記側部分は、前記中央部分の側縁に隣接する縁部が円弧状に膨らんだ曲線形状とし、前記中央部分は、平板を前記縁部の曲線形状に沿うように撓ませて前記側部分に結合することができる。
【０００７】
前記支持手段は、実施例において、前記側壁のそれぞれに設けられた２つのスロットと、前記側部分に設けられた２つの貫通孔と、それぞれが前記スロットの一方および前記貫通孔の一方並びに前記スロットの他方および前記貫通孔の他方に挿通され、かつ前記スロット内で前記側壁に関して摺動する一対の係合ピンとを有する。
【０００８】
前記支持手段は、他の実施例において、前記側壁のそれぞれに設けられた２つのスロットと、前記側部分に設けられた２つの貫通孔と、それぞれが前記スロットの一方および前記貫通孔の一方並びに前記スロットの他方および前記貫通孔の他方に挿通され、かつ前記スロット内で前記側壁に関して摺動する一対の係合ピンとを有する。
【０００９】
前記支持手段は、他の実施例において、前記側壁のそれぞれに設けられた２つの第１の貫通孔と、該貫通孔に対応して前記側部分にそれぞれ設けられた２つの第２の貫通孔と、それぞれが前記第１の貫通孔の一方およびこれに対応する前記第２の貫通孔並びに前記第１の貫通孔の他方およびこれに対応する前記第２の貫通孔に挿通された一対の固定ピンとを有する。
【考案の効果】
【００１０】
本考案によれば、蓋を中央部分と側部分とに分離したので、新しいものへの取り替えは、取り替えが必要な中央部分または側部分のみを交換すればよく、蓋全体を交換する場合に比べ作業が容易で費用が安価となる。さらに、ケースの幅寸法の変更は、中央部分を寸法の異なるものと交換するにあたり、平板を熱加工して所望の形に単曲面成形すればよく、新たな金型を起こす必要がないので安価となる。
【００１１】
また、蓋の中央部分に平板を撓ませて取り付けたことにより、該中央部分を交換する場合に、新たに調達した平板を撓ませて取り付けるだけでよく、曲面成形するための熱加工作業をも省けるので、より容易かつ安価に蓋を取り替えることができる。
【００１２】
前記支持手段として、スロットと一対の係合ピンを用いることにより、蓋をスロットに沿わせて商品陳列ケースの開口部後方にまで移動させることができるので、蓋を開けた場合に開口部を広く確保できる。
【００１３】
さらに、前記係合ピンの数を２本から４本に増やすことにより、蓋がスロット内に二軸で支持されつつ移動させられるので、より安定して蓋の開閉を行うことができる。
【考案を実施するための最良の形態】
【００１４】
以下、本考案の実施例を図面を参照して詳細に説明する。
【００１５】
本考案の第１実施例を示す図１ないし図３を参照するに、符号１は商品陳列ケースを示す。この商品陳列ケース１０は、図１に示すように、収納物を出し入れするための開口部１２を有する本体１４と、該開口部を開閉する蓋１６とを含む。蓋１６は、図２に示すように、本体１４の側面に穿設されたスロット１８に嵌入されており、該スロット内を摺動し開口部１２を開閉する。
【００１６】
本体１４は、少なくとも前縁部が円弧状に形成された曲線部２０を有する一対の側壁２２と、前板２４と、背面板２６とから構成され、これら各部はプラスチック製の板材から成る。
【００１７】
図３に示すように、背面板２６は、平板の両端を内側に折り曲げて断面形状がほぼコ字状となるように成形され、折り曲げ部であるリブ２８と、矩形状の本体部３０とから成る。矩形状の本体部３０の四隅には係合孔３２が形成されている。ここで、背面板２６は、収納される商品を外側から見ることができるよう透明のプラスチック、例えばＰＥＴ樹脂で成形することが好ましい。
【００１８】
側壁２２には、ケース１０の内側となる面に薄板の４つのガイド片３４、３６、３８、４０が側壁２２の外周縁部にほぼ沿って突設されている。これらガイド片は前板２４及び背面板２６を側壁２２に結合する。すなわち、ガイド片３４は側縁部に溝３４ａを有し、前板２２の両側縁を溝内に嵌合させることにより、前板２４は側壁２２に接合する。また、ガイド片３６及びガイド片３８には、ケースの内側となる面に突起３６ａ、４０ａが設けられており、背面板２６をリブ２８を向かい合わせる方向に撓ませてガイド片３８に当接させ、矩形状本体部３０に設けられた係合孔３２を突起３６ａ、４０ａにそれぞれ係合させ、これにより背面板２６を側壁２２に接合する。
【００１９】
以上のように、本体１４は、本実施例において、互いに結合される側壁２２と、前板２４と、背面板２６とから成るが、開口部１２を有する限り一体成形してもよい。
【００２０】
蓋１６は、図１に示すように、円弧状の側断面形状を有し、開口部１２を覆う中央部分４２と、側壁を覆う一対の側部分４４とを含み、これら各部はプラスチック製の板材から成る。特に中央部分４２は、収納される商品を外側から見ることができるよう透明のＰＥＴ樹脂で成形することが好ましい。
【００２１】
図３に示すように、蓋３の中央部分４２は、両端部に把手を兼ねたリブ４６が突設された円弧状の平板である。中央部分４２の四隅には、背面板２６と同様に、係合孔４８が形成されている。リブ４６は、中央部分４２の強度によっては省くことができる。
【００２２】
両側部分４４の内側には、両端がコ字形に折り返された薄板のスライド片５０が円弧状の縁部に沿って突設されている。これらスライド片により、蓋の中央部分４２が側部分４４に結合される。すなわち、スライド片５０の両端部に突起５０ａが設けられており、中央部分４２を円弧形状のスライド片５０に当接させるよう撓ませて、該中央部分の四隅に設けられている係合孔４８を突起５０ａに係合させ、これにより中央部分４２を側部分４４に結合する。
【００２３】
以上のように、蓋１６は、支持手段５２により本体１４の側壁２２に対して相対運動可能に、すなわち摺動可能に支持されている。この支持手段５２は、図３に示すように、側壁２２の曲線形状にほぼ沿った形に湾曲して穿設されたスロット１８と、側部分４４に設けられた貫通孔５４と、一対の係合ピン５６とから成る。係合ピン５６は、側部分４４に設けられた貫通孔５４とともにスロット１８にも挿通されている。また、蓋１６は、図２に示す完全に閉じた状態において、スライド片５０が本体開口部１２を形成するガイド片３６に当接する。
【００２４】
蓋１６の開閉は、リブ４６を摘み、蓋１６を前後に滑らせると、係合ピン５６がスロット１８内で摺動し、該係合ピンの動きに連動してスライド片５０の一部がガイド片３４に案内されながら移動することによる。
【００２５】
本実施例では、スロット１８が本体開口部１２に隣接する部位から背面板２６に隣接する部位まで延びているので、蓋１６を支持する係合ピン５６が背面板２６の隣接部位まで移動することができ、その結果、開口部１２を広く確保しながら蓋１６を開けることができる。
【００２６】
図４および図５は、本考案の第２実施例を示す。この第２実施例は、蓋１６を側壁２２に対して相対運動可能に支持する支持手段５２として固定ピン５８を用いた点で上記第１実施例と異なる。固定ピン５８は蓋１６の両側部分４４に設けられた貫通孔６０のほか、側壁２２に設けられた貫通孔６２にも挿通されている。蓋１６は、図４に示す完全に閉じた状態において、スライド片５０が本体開口部１２を形成するガイド片３６に当接する。
【００２７】
蓋１６の開閉は、リブ４６を摘み、蓋１６を側壁２２に対して相対運動、すなわち固定ピン５８の周りに蓋１６を回転運動させることによる。
【００２８】
ここで、蓋１６の側部分４４の形状は、図４および図５に示した例に代えて、図６および図７に示すように該側部分をほぼ扇形に形成し、側壁２２のほぼ中央位置で固定ピン５８を挿通させてもよい。この場合、図４および図５に示した例に比べ固定ピン５８を低い位置に設けているので、蓋を開けた状態でのケース高さを低くおさえることができる。
【００２９】
図８および図９は、本考案の第３実施例を示す。この第３実施例は、上記第１実施例における係合ピンを４本に増やしたものである。係合ピン６４は、蓋１６の両側部分４４に設けられた貫通孔６６とともにスロット６８にもすべて挿通されている。蓋１６は、図８に示す完全に閉じた状態において、スライド片５０が本体開口部１２を形成するガイド片３６に当接する。
【００３０】
この場合、蓋１６は二軸で支持されつつ、スロット６８内を摺動するので、第１実施例の場合と比べ、より安定して蓋１６を開閉させることができる。
【００３１】
以上、本考案の商品陳列ケースについて、その実施例に基づいて説明したが、本考案は上記実施例に記載した構成に限定されるものでなく、その趣旨を逸脱しない範囲において適宜その構成を変更できるものである。
【産業上の利用可能性】
【００３２】
本考案は、ケースに販売商品や試食品を収納して陳列ケースとして使用できるほか、台所や食卓等で食品や調味料等の整理収納ケースとして使用することもできる。
【図面の簡単な説明】
【００３３】
【図１】本考案の第１実施例を蓋が閉じた状態で示す斜視図
【図２】図１に示した第１実施例を蓋が開いた状態で示す斜視図
【図３】図１に示した第１実施例を示す分解斜視図
【図４】本考案の第２実施例を蓋が閉じた状態で示す斜視図
【図５】図４に示した第２実施例を蓋が開いた状態で示す斜視図
【図６】本考案の第２実施例の変形例の蓋が閉じた状態で示す斜視図
【図７】図６に示した第２実施例の変形例の蓋が開いた状態で示す斜視図
【図８】本考案の第３実施例を蓋が閉じた状態で示す斜視図
【図９】図８に示した第３実施例を蓋が開いた状態で示す斜視図
【符号の説明】
【００３４】
１０    商品陳列ケース
１２    開口部
１４    本体
１６    蓋
１８    スロット
２０    本体の曲線部
２２    側壁
２４    前板
２６    背面板
２８    リブ
３０    本体
３２    係合孔
３４、３６、３８、４０    ガイド片
３４ａ    溝
３６ａ、４０ａ    突起
４２    中央部分
４４    側部分
４６    リブ
４８    係合孔
５０    スライド片
５２    支持手段
５４    スロット
５６    貫通孔
５８    係合ピン
６０    固定ピン
６２    貫通孔
６４    貫通孔
６６    係合ピン
６８    貫通孔
７０    スロット
【図１】
0003130938.tif 000003
【図２】
0003130938.tif 000004
【図３】
0003130938.tif 000005
【図４】
0003130938.tif 000006
【図５】
0003130938.tif 000007
【図６】
0003130938.tif 000008
【図７】
0003130938.tif 000009
【図８】
0003130938.tif 000010
【図９】
0003130938.tif 000011